(57)【要約】      （修正有）【課題】簡単な構成により、スクリーンの巻き取りに伴う巻きずれを防止できるようにしたロールスクリーンの生地ガイド機構を提供する。【解決手段】スプリング式のロールスクリーン１００は、セットフレーム１５に保持されたロールパイプ１２と、このロールパイプ１２に上端が取り付けられて巻き取り／巻き戻しされるスクリーン１１とを備える。ロールパイプ１２には、ロールパイプ１２に巻き付けられたスクリーン１１の端面に接触可能にしてロールパイプ１２の少なくとも一端に遊挿されると共に、スクリーン１１の中央方向に向かって内径が大きくなる傾斜面を有するリング１０Ａ，１０Ｂが、ロールパイプ１２の両端に設けられており、これによって生地ガイド機構１が構成されている。【選択図】図１
2011012430.tif 000002
【特許請求の範囲】
【請求項１】
ロールスクリーンの端縁部の巻き取り状態を整えるロールスクリーンの生地ガイド機構において、
前記ロールスクリーンのロールパイプの少なくとも一方側の端部近傍に、前記ロールパイプに巻き付けられた前記スクリーンの中央方向に向かって次第に内径が大きくなるような傾斜面を備えたリングを、前記ロールパイプに巻き付けられたスクリーンの端縁部に接触可能な状態で回転可能に遊挿したことを特徴とするロールスクリーンの生地ガイド機構。
【請求項２】
請求項１に記載のロールスクリーンの生地ガイド機構において、
前記リングの直径は、巻き取られたロールスクリーンの端縁部の直径よりも大きいことを特徴とするロールスクリーンの生地ガイド機構。
【請求項３】
請求項１又は２に記載のロールスクリーンの生地ガイド機構において、
前記リングは合成樹脂、好ましくはフッ素樹脂であることを特徴とするロールスクリーンの生地ガイド機構。
【請求項４】
請求項１から３のいずれか１項に記載のロールスクリーンの生地ガイド機構において、
前記リングの内面と前記ロールパイプとの間の隙間は１〜５ｍｍであることを特徴とするロールスクリーンの生地ガイド機構。
【請求項５】
請求項１から４のいずれか１項に記載のロールスクリーンの生地ガイド機構において、
前記ロールスクリーンは、スプリング式又はチェーン式であることを特徴とするロールスクリーンの生地ガイド機構。
【発明の詳細な説明】
【技術分野】
【０００１】
本発明は、ロールスクリーンの生地ガイド機構に関し、さらに詳しくは、ロールスクリーンを巻き取るロールパイプに取り付けられ、巻き取られるスクリーンの端縁部の巻き状態をきれいに整えるロールスクリーンの生地ガイド機構に関する。
【背景技術】
【０００２】
ロールスクリーンは、ロールパイプに巻き付けた遮光性を有するスクリーン等を巻き取り／巻き戻しを行うことによって日差しや人の覗き見等を避けるものであり、操作コードの引き下げ操作に応じてスクリーンが昇降するスプリング式（「プルコード式」ともいう）のものと、チェーンの回動操作及びその引き方向に応じてスクリーンが昇降するチェーン式のものとがある。
【０００３】
ロールスクリーンは、スクリーンを引き出して展開した状態から巻き取る場合、その開始から終了に至るまで、スクリーンの両端にずれを生じることなく巻き取られることが望ましい。しかし、ロールパイプに傾きが生じていたり、長期の使用によってスクリーンの生地の両端に伸縮差が生じる等により、いわゆる竹の子状となる「巻きずれ」（スクリーン１１の幅方向の中心がロールパイプの長さ方向に少しずつ移動すること）が発生する。巻きずれが発生すると、見栄えが悪いばかりでなく、スクリーンの生地を傷めたり、引っ掛かりが生じて巻き取り／巻き戻しを行えなくなるおそれがある。
【０００４】
そのため、スクリーンの巻きずれを生じにくくするために、例えば、上下方向に一定間隔に係合孔が設けられたテープをスクリーンの両側に設けると共に、この係合孔に歯合して回転するスプロケットをテープの裏面に配置し、スクリーンが上下動しても、その両側の水平方向へのずれがテープによって規制されるようにしたロールスクリーンの巻きずれ防止装置が提案されている（例えば、特許文献１参照）。
【先行技術文献】
【特許文献】
【０００５】
【特許文献１】特許第３０７５９４８号公報
【発明の概要】
【発明が解決しようとする課題】
【０００６】
しかし、上述したロールスクリーンの巻きずれ防止装置は、単にスプロケットを係合孔に噛み合わせるだけであるため、スクリーンに強い風が当たる、人が接触するなどしてスクリーンの全体が揺れるような力が外部から加わると、スプロケットと係合孔との噛合が解除される可能性がある。この噛合が解除された場合、噛合が復帰する可能性は低く、これによって巻きずれを生じるため、巻きずれを完全に無くすことは困難である。
【０００７】
従って、本発明の目的は、簡単な構成により、スクリーンの巻き取りに伴う巻きずれを防止できるようにしたロールスクリーンの生地ガイド機構を提供することにある。
【課題を解決するための手段】
【０００８】
上記目的を達成するため、請求項１に記載の本発明は、ロールスクリーンの端縁部の巻き取り状態を整えるロールスクリーンの生地ガイド機構において、ロールスクリーンのロールパイプの少なくとも一方側の端部近傍に、ロールパイプに巻き付けられたスクリーンの中央方向に向かって次第に内径が大きくなるような傾斜面を備えたリングを、ロールパイプに巻き付けられたスクリーンの端縁部に接触可能な状態で回転可能に遊挿したことを特徴とする。
【０００９】
上記目的を達成するため、請求項２に記載の本発明は、請求項１に記載のロールスクリーンの生地ガイド機構において、リングの直径は、巻き取られたロールスクリーンの端縁部の直径よりも大きいことを特徴とする。
【００１０】
上記目的を達成するため、請求項３に記載の本発明は、請求項１又は２に記載のロールスクリーンの生地ガイド機構において、リングは合成樹脂、好ましくはフッ素樹脂であることを特徴とする。
【００１１】
上記目的を達成するため、請求項４に記載の本発明は、請求項１から３のいずれか１項に記載のロールスクリーンの生地ガイド機構において、リングの内面とロールパイプとの間の隙間は１〜５ｍｍであることを特徴とする。
【００１２】
上記目的を達成するため、請求項５に記載の本発明は、請求項１から４のいずれか１項に記載のロールスクリーンの生地ガイド機構において、ロールスクリーンは、スプリング式又はチェーン式であることを特徴とする。
【発明の効果】
【００１３】
本発明に係るロールスクリーンの生地ガイド機構によれば、簡単な構成により、ロールスクリーンの生地の巻き取りの際に生じ得る巻きずれを効果的に防止することができるという効果がある。
【図面の簡単な説明】
【００１４】
【図１】本発明の第１の実施形態における生地ガイド機構及びこれを装着したロールスクリーンの正面図である。
【図２】図１に示すロールスクリーンの右側面図である。
【図３】図１に示すロールパイプに配設された生地ガイド機構の右側のリングを示し、（ａ）は左側面図、（ｂ）は（ａ）に示すリングのＡ−Ａ線断面図である。
【図４】生地ガイド機構の動作を示し、（ａ）はスクリーンに巻きずれが生じていないときの生地ガイド機構を示す図、（ｂ）はスクリーンに巻きずれが生じているときの生地ガイド機構を示す図である。
【図５】本発明の第２の実施形態における生地ガイド機構及びこれを装着したロールスクリーンの正面図である。
【図６】図５に示すロールスクリーンの右側面図である。
【発明を実施するための形態】
【００１５】
［第１の実施の形態］
図１は、本発明の第１の実施形態における生地ガイド機構及びこれを装着したロールスクリーンの正面図である。なお、図１においては、生地ガイド機構の部分を断面で示している。また、図１においては、ロールスクリーンの左右の端部を示すためにロールパイプの幅を便宜上狭く描いているが適宜の幅サイズのロールスクリーンに適用可能であることはいうまでもない。図２は、図１に示すロールスクリーンの右側面図である。
さて、図１及び図２に示すロールスクリーン１００は、ロールパイプ１２の両端にそれぞれ第１及び第２のリング１０Ａ，１０Ｂからなる生地ガイド機構１を内蔵しており、図示しない窓枠の上部、天井面等にブラケット２Ａ，２Ｂによって取り付け固定される。
【００１６】
（ロールスクリーン１００の構成）
図示されたロールスクリーン１００は、スプリング式であり、シート状のスクリーン（生地）１１であって巻き取り可能とされたスクリーン１１と、スクリーン１１の上端を固定すると共に、回転することによってスクリーン１１の巻き取り／巻き戻しを行うロールパイプ１２と、ロールパイプ１２の両側にその回転を自在に行わせるようにして介在するサイドホルダ１３Ａ，１３Ｂと、サイドホルダ１３Ａ，１３Ｂをねじ１２０によって固定するサイドフレーム１４Ａ，１４Ｂと、サイドフレーム１４Ａ，１４Ｂが取り付けられると共に、ブラケット２Ａ，２Ｂを介して上記窓枠等に取り付けられるセットフレーム１５と、スクリーン１１の下端に水平に取り付けられるウェイトとしてのボトムパイプ１６と、ボトムパイプ１６の中央部に取り付けられたボトムハンガー１７と、ボトムハンガー１７に取り付けられたプルコード１８と、プルコード１８の下端に取り付けられたプルボール１９と、セットフレーム１５の後部に設けられたベースクッション２０とを備えて構成されている。
【００１７】
スクリーン１１は、伸縮や色あせが少なく、耐熱性、耐湿性等を有する素材、例えば、ポリエステル、ガラス糸繊維等の素材を用いて作られている。また、スクリーン１１は、無地の他、イラスト、模様、装飾等が施されていてもよい。
【００１８】
ロールパイプ１２は、例えば、スクリーン１１より長い円筒状部材によって形成され、スクリーン１１の上端を固定すると共に、その回転方向に応じてスクリーン１１の巻き取り及び巻き戻しを行うものである。ロールパイプ１２は、軽量且つ耐久性の面からアルミニウムパイプによって形成されている。
【００１９】
セットフレーム１５は、ロールスクリーン１００を窓枠等に取り付けるための長尺状の部材で、例えば、アルミ押し出し成形等によって形成されており、スクリーン１１を巻き取る駆動源（例えば、スプリング）、巻き上げ／巻き戻し／停止等を行う図示しない機構部等を内蔵している。
【００２０】
（生地ガイド機構の構成）
図３は、図１に示すロールパイプに配設された生地ガイド機構の右側のリングを示し、（ａ）は左側面図、（ｂ）は（ａ）に示すリングのＡ−Ａ線断面図である。図１に示されるように、生地ガイド機構１における第１のリング１０Ａと第２のリング１０Ｂは対称形を成しているのみで、その他に違いはない。従って、図３においては、リング１０Ｂの図示を省略する。
【００２１】
第１及び第２のリング１０Ａ，１０Ｂは金属製又は樹脂製のリングであり、その寸法は、例えば、外径が５６ｍｍ、幅が８ｍｍである。しかしながら、第１及び第２のリング１０Ａ，１０Ｂは、共にその内径が左右で異なっており、例えば３６．５ｍｍ（サイドフレーム側）から３７．５ｍｍ（スクリーン側）になるように軸方向（スクリーン１１の中央方向）に傾斜が設けられている。従って、図３（ｂ）に示すように、第１，第２のリング１０Ａ，１０Ｂの内面は、軸心に対して角度θの傾斜面１０１を有し、テーパー状となっている。尚、角度θは、１０°〜３０°の範囲であることが好ましい。
【００２２】
第１及び第２のリング１０Ａ，１０Ｂは、ロールパイプ１２に巻き付けられたスクリーン１１の両側で、且つ、ロールパイプ１２の端部となる場所に、それぞれ図１に示すように内径の長い方の側が互いに向き合うようにして遊挿される。第１及び第２のリング１０Ａ，１０Ｂは、スクリーン１１をロールパイプ１２に巻き取る際、スクリーン１１の端縁部に接触することによってロールパイプ１２の半径方向に対して傾き（最大θ）が生じるように、ロールパイプ１２の外径と第１及び第２のリング１０Ａ，１０Ｂの内径との間に所定の隙間（遊び）を持たせている。隙間の大きさは約１〜５ｍｍが好ましい。また、第１及び第２のリング１０Ａ，１０Ｂの直径は、巻き取られたスクリーン１１の端縁部の直径よりも大きくなっている。これは第１及び第２のリング１０Ａ，１０Ｂが確実にスクリーン１１の端縁部と接触するようにするためである。さらに、第１及び第２のリング１０Ａ，１０Ｂは合成樹脂、好ましくはフッ素樹脂によって形成すると良い。フッ素樹脂は摩擦抵抗が少ないため第１及び第２のリング１０Ａ，１０Ｂの動作がスムーズとなるからである。
【００２３】
（ロールスクリーン１００の操作及び動作）
次に、ロールスクリーン１００の操作及び動作について説明する。スクリーン１１が図１及び図２に示すように降下している状態において、ロールスクリーン１００を巻き上げる場合、使用者がプルボール１９を手に持って少し引き下げると、ロールパイプ１２の回転に対するロックが図示しない機構部によって解除され、ついで手を上方向へ少し動かすと、ロールパイプ１２は図示しない機構部の附勢力によってロールスクリーン１００を巻き上げる方向に回転し、スクリーン１１が巻き上げられる。
【００２４】
一方、スクリーン１１がロールパイプ１２に巻き取られた状態のロールスクリーン１００からスクリーン１１を下げたい場合、使用者はプルボール１９を持って引き下げる。この操作に伴って、ロールパイプ１２が上記巻き上げ時とは逆方向に回転すると共にスクリーン１１の下端が降下する。スクリーン１１が所望の位置まで下がった時点でプルコード１８を持った手を緩めると、ロールパイプ１２の回転がロックされ、スクリーン１１が停止する。
【００２５】
（ロールスクリーン１００における生地ガイド機構１の動作）
次に、生地ガイド機構１の動作について説明する。図４は、生地ガイド機構１の動作を示し、（ａ）はスクリーン１１に巻きずれが生じていないときの生地ガイド機構１を示す図、（ｂ）はスクリーン１１に巻きずれが生じているときの生地ガイド機構１を示す図である。なお、図４においては、第１のリング１０Ａ、ロールパイプ１２及びスクリーン１１以外の部材の図示を省略している。従って、以下においては、第１のリング１０Ａの動作について説明する。
【００２６】
スクリーン１１の巻き上げに際し、スクリーン１１が巻きずれを生じることなくロールパイプ１２に巻き取られた場合、図１及び図４（ａ）に示すように、第１及び第２のリング１０Ａ，１０Ｂは、テーパー状とされている内径の長い方の側が互いに向き合うようにして遊挿されているため、下側はサイドフレーム１４Ａ，１４Ｂ側（図４（ａ）の左右側位置し、上側はスクリーン１１の中心方向（図４（ａ）の中央側）に位置した状態となっており、いわゆる「ハの字形」をなしている。そして、第１及び第２のリング１０Ａ，１０Ｂは、スクリーン１１の側端面に接する状態になってはいるが、特にスクリーン１１の側縁部を付勢する等の負荷は及ぼさない。
【００２７】
一方、スクリーン１１を巻き上げている最中にスクリーン１１に巻きずれが生じ始めた場合、外側に飛び出そうとする側の第１又は第２のリング１０Ａ，１０Ｂ（図４（ｂ）では右側の第１のリング１０Ａ）がロールパイプ１２への巻き付きが開始される部分（ロールパイプ１２の軸方向に対して直交する方向の高さ幅の略中央の位置）でスクリーン１１の端縁部と接し、さらに巻き上げが行われることによりスクリーン１１の端縁部が内側へ傾斜している第１のリング１０Ａの上側をサイドフレーム１４Ａ側へ押しやろうとする。
【００２８】
しかし、第１のリング１０Ａの内径はスクリーン１１の中央方向に向かって傾斜したテーパー状になっているので、図４（ｂ）に示すように、第１のリング１０Ａの上側がサイドフレーム１４Ａ側へ傾くことが抑制される。これによりスクリーン１１の端縁部が突出しようとするのを第１のリング１０Ａによって阻止されるので巻きずれが起こらず綺麗に巻き上げることができる。尚、スクリーン１１の端縁部の突出が第２のリング１０Ｂ側で起こったとしても同様の作用によって巻きずれが防止されることはいうまでもない。
【００２９】
（第１の実施形態の効果）
第１の実施形態によれば、スクリーン１１の巻き上げ時にスクリーン１１に巻きずれが生じた場合、生地ガイド機構１の第１及び第２のリング１０Ａ，１０Ｂが、巻きずれを修正するようにロールパイプ１２に巻き付けられるスクリーン１１の上部を巻きずれの進行方向とは逆の方向へ押すため、巻きずれを無くすことができる。
【００３０】
また、生地ガイド機構１の第１及び第２のリング１０Ａ，１０Ｂは、それぞれが１つの部品で構成できるため、ロールスクリーン１００の構成の簡略化及びコストアップの防止が図れ、且つロールスクリーン１００の大型化を招かないようにすることができる。
【００３１】
［第２の実施形態］
図５は、本発明の第２の実施形態における生地ガイド機構及びこれを装着したロールスクリーンの正面図であり、図６は、図５に示すロールスクリーンの右側面図である。なお、図５においては、生地ガイド機構１の部分を断面で示している。
【００３２】
第２の実施形態は、チェーン式のロールスクリーンを対象としている。このロールスクリーン２００は、図１に示すロールスクリーン１００において、ボトムハンガー１７、プルコード１８及びプルボール１９を除去すると共に、サイドフレーム１４Ａに重なるようにして設けられたホイールユニット２１と、ホイールユニット２１に対してループを形成するようにして懸架されたボールチェーン２２と、ボールチェーン２２を無端に接続するチェーンジョイント２３とを設けた構成になっている。また、ロールスクリーン２００は、ボールチェーン２２を引く方向に応じてロールパイプ１２の回転を制御するスプリングセット（機構部）２４がロールパイプ１２内に設けられている。
【００３３】
次に、ロールスクリーン２００の操作及び動作について説明する。まず、スクリーン１１が図５及び図６に示すように降下した状態において、ロールスクリーン２００を巻き上げる場合、使用者はボールチェーン２２の巻き上げ側を手に持って下方向へ引くと、その引いた長さに応じてロールパイプ１２が回転し、スクリーン１１が巻き付くことによってボトムパイプ１６が引き上げられる。所望の高さまでスクリーン１１が巻き上げられた時点で、使用者がボールチェーン２２を引くのを止めると、スクリーン１１の巻き上げが停止し、その状態が維持される。このとき、スクリーン１１が自重で降下しないように、スプリングセット２４が動作する。
【００３４】
次に、スクリーン１１がロールパイプ１２に巻き取られたロールスクリーン２００において、スクリーン１１を下げたい場合、使用者はボールチェーン２２の巻き下げ側を手に持って下方向へ引くと、その引いた長さに応じてロールパイプ１２が巻き上げ時とは逆方向に回転し、スクリーン１１が巻き戻されることによって、スクリーン１１の下端及びボトムパイプ１６が引き下げられる。所望の位置までスクリーン１１が巻き下げられた時点で、使用者がボールチェーン２２を引くのを止めると、スクリーン１１の巻き下げが停止し、その状態が維持される。
【００３５】
なお、第２の実施の形態における生地ガイド機構１の動作は、図４で説明した第１の実施の形態とほぼ同様であるため、ここでの説明を省略する。
【００３６】
第２の実施形態によれば、チェーン式のロールスクリーン２００であっても、生地ガイド機構１による効果を第１の実施形態と同様に得ることができる。
【００３７】
［他の実施の形態］
なお、本発明は、上記各実施の形態に限定されず、本発明の技術思想を逸脱あるいは変更しない範囲内で種々な変形が可能である。例えば、ロールスクリーン１００，２００は、スクリーン１１の巻き上げ／巻き下げの駆動をモータによって行う電動式の構成にすることもできる。
【００３８】
また、上記各実施の形態において、生地ガイド機構１の第１，第２のリング１０Ａ，１０Ｂの各寸法は一例であり、カーテンの幅、長さ、重量等によって適宜変更されるものである。
【符号の説明】
【００３９】
１        生地ガイド機構
２Ａ      ブラケット
２Ｂ      ブラケット
１０Ａ  第1のリング
１０Ｂ  第２のリング
１１    スクリーン
１２    ロールパイプ
１３Ａ  サイドホルダ
１３Ｂ  サイドホルダ
１４Ａ  サイドフレーム
１４Ｂ  サイドフレーム
１５    セットフレーム
１６    ボトムパイプ
１７    ボトムハンガー
１８    プルコード
１９    プルボール
２０    ベースクッション
２１    ホイールユニット
２２    ボールチェーン
２３    チェーンジョイント
２４    スプリングセット
１００  ロールスクリーン
１０１  傾斜面
１２０  ねじ
２００  ロールスクリーン
【図１】
2011012430.tif 000003
【図２】
2011012430.tif 000004
【図３】
2011012430.tif 000005
【図４】
2011012430.tif 000006
【図５】
2011012430.tif 000007
【図６】
2011012430.tif 000008